(57)【要約】【課題】パージシステムの故障の診断を適切に完了する。【解決手段】アイドリングストップ制御を実行する車両に搭載されるパージシステムの故障診断装置であって、パージシステムは、蒸発燃料を吸着するキャニスタ、キャニスタとエンジンの吸気管とを連通するパージ通路、パージ通路を開閉可能なパージ弁、キャニスタと外気開口部とを連通する外気通路、エンジンの始動に用いられる電力を蓄電するバッテリから供給される電力を用いて駆動され外気通路を開閉可能な外気弁及びパージシステム内の圧力を検出するシステム圧力センサを備え、故障診断装置は、外気弁により外気通路が閉鎖された状態においてパージガスの流量積算値とパージシステム内の圧力との関係に基づいてパージシステムの故障を診断する診断モードを実行し、バッテリの電圧に基づいて診断モードを禁止し、エンジンが再始動する際にバッテリの電圧に基づく診断モードの禁止を中止する。【選択図】図４
2019138272.tif 000002
【特許請求の範囲】
【請求項１】
エンジンを自動停止及び再始動させるアイドリングストップ制御を実行する車両に搭載され、燃料タンクで発生した蒸発燃料を含むパージガスを前記エンジンの吸気管に供給するパージシステムの故障を診断するパージシステムの故障診断装置であって、
前記パージシステムは、
前記蒸発燃料を吸着するキャニスタと、
前記キャニスタと前記エンジンの吸気管とを連通するパージ通路と、
前記パージ通路を開閉可能なパージ弁と、
前記キャニスタと外気開口部とを連通する外気通路と、
前記エンジンの始動に用いられる電力を蓄電するバッテリから供給される電力を用いて駆動され、前記外気通路を開閉可能な外気弁と、
前記パージシステム内の圧力を検出するシステム圧力センサと、を備え、
前記故障診断装置は、前記外気弁により前記外気通路が閉鎖された状態において、前記パージ弁により前記パージ通路が開放されることによって前記パージ通路から前記吸気管へ流入するパージガスの流量推定値の積算値と前記パージシステム内の圧力との関係に基づいて、前記パージシステムの故障を診断する診断モードを実行し、前記バッテリの電圧に基づいて前記診断モードを禁止する実行部を備え、
前記実行部は、前記エンジンが自動停止した後に再始動する際に、前記バッテリの電圧に基づく前記診断モードの禁止を中止する、
パージシステムの故障診断装置。
【請求項２】
前記実行部は、前記バッテリの電圧が電圧閾値を下回る場合に、前記診断モードを禁止する、
請求項１に記載のパージシステムの故障診断装置。
【請求項３】
前記実行部は、前記エンジンの自動停止時において前記診断モードが継続されている場合、前記エンジンが再始動する際に、前記バッテリの電圧によらず前記診断モードを継続する、
請求項１又は２に記載のパージシステムの故障診断装置。
【請求項４】
前記実行部は、前記エンジンの再始動時において前記診断モードを開始する条件である開始条件が満たされる場合、前記エンジンが再始動する際に、前記バッテリの電圧によらず前記診断モードを開始する、
請求項１〜３のいずれか一項に記載のパージシステムの故障診断装置。
【請求項５】
前記実行部は、前記診断モードにおいて、前記流量推定値の積算値が基準積算値に到達した時における前記パージシステム内の圧力が圧力閾値より高い場合に、前記パージシステムが故障していると診断する、
請求項１〜４のいずれか一項に記載のパージシステムの故障診断装置。
【発明の詳細な説明】
【技術分野】
【０００１】
本発明は、パージシステムの故障診断装置に関する。
【背景技術】
【０００２】
従来、車両に搭載される燃料タンク内で生じる蒸発燃料が外気中へ放出されることを防止するために、パージシステムが利用されている。パージシステムは、具体的には、蒸発燃料を吸着するキャニスタと、キャニスタとエンジンの吸気管とを連通するパージ通路と、パージ通路を開閉可能なパージ弁とを備える（例えば、特許文献１を参照。）。
【先行技術文献】
【特許文献】
【０００３】
【特許文献１】特開２０１１−０３２９１９号公報
【発明の概要】
【発明が解決しようとする課題】
【０００４】
パージシステムでは、パージ弁によりパージ通路を開放させることによって、キャニスタに吸着された蒸発燃料を含むガスであるパージガスがパージ通路から吸気管へ流入する。パージ通路から吸気管へ流入したパージガスは、吸気管を流れる吸気とともにエンジンの燃焼室へ送られる。また、パージ通路から吸気管へパージガスが流入することによって、キャニスタに吸着されている蒸発燃料の量が吸着可能な上限に到達することを防止することができる。それにより、蒸発燃料が外気中へ放出されることを継続的に防止することができる。
【０００５】
上記のように、パージ通路から吸気管へのパージガスの流れであるパージフローは、エンジンにおける燃料の燃焼やキャニスタの吸着能力に影響を与える。パージシステムが故障している場合には、パージフローが正常に行われないことに起因して、エンジンにおける燃料の燃焼やキャニスタの吸着能力を適切に制御することが困難となる。よって、パージシステムの故障を診断する必要が生じる。
【０００６】
このようなパージシステムの故障の診断は、キャニスタと外気開口部とを連通する外気通路を開閉可能な外気弁により外気通路が閉鎖された状態において、検出されるパージシステム内の圧力に基づいて行われる。ここで、パージシステムの故障を診断する診断モードを、外気弁へ電力を供給するバッテリの電圧に基づいて禁止する制御が行われる場合がある。具体的には、バッテリの電圧が過剰に低くなった場合に診断モードが禁止され得る。それにより、外気弁の動作を適切に制御することが困難である状況において、外気弁の動作を伴う診断モードが実行されることが抑制される。
【０００７】
しかしながら、パージシステムがエンジンを自動停止及び再始動させるアイドリングストップ制御を実行する車両に搭載される場合、エンジンが再始動されることに起因してバッテリの電圧が一時的に低下することに伴って診断モードが禁止され得る。それにより、例えば、パージシステムの故障の診断が完了する前において診断モードが不必要に中断される場合がある。
【０００８】
そこで、本発明は、上記問題に鑑みてなされたものであり、本発明の目的とするところは、パージシステムの故障の診断を適切に完了することが可能な、新規かつ改良されたパージシステムの故障診断装置を提供することにある。
【課題を解決するための手段】
【０００９】
上記課題を解決するために、本発明のある観点によれば、エンジンを自動停止及び再始動させるアイドリングストップ制御を実行する車両に搭載され、燃料タンクで発生した蒸発燃料を含むパージガスを前記エンジンの吸気管に供給するパージシステムの故障を診断するパージシステムの故障診断装置であって、前記パージシステムは、記蒸発燃料を吸着するキャニスタと、前記キャニスタと前記エンジンの吸気管とを連通するパージ通路と、前記パージ通路を開閉可能なパージ弁と、前記キャニスタと外気開口部とを連通する外気通路と、前記エンジンの始動に用いられる電力を蓄電するバッテリから供給される電力を用いて駆動され、前記外気通路を開閉可能な外気弁と、前記パージシステム内の圧力を検出するシステム圧力センサと、を備え、前記故障診断装置は、前記外気弁により前記外気通路が閉鎖された状態において、前記パージ弁により前記パージ通路が開放されることによって前記パージ通路から前記吸気管へ流入するパージガスの流量推定値の積算値と前記パージシステム内の圧力との関係に基づいて、前記パージシステムの故障を診断する診断モードを実行し、前記バッテリの電圧に基づいて前記診断モードを禁止する実行部を備え、前記実行部は、前記エンジンが自動停止した後に再始動する際に、前記バッテリの電圧に基づく前記診断モードの禁止を中止する、パージシステムの故障診断装置が提供される。
【００１０】
前記実行部は、前記バッテリの電圧が電圧閾値を下回る場合に、前記診断モードを禁止してもよい。
【００１１】
前記実行部は、前記エンジンの自動停止時において前記診断モードが継続されている場合、前記エンジンが再始動する際に、前記バッテリの電圧によらず前記診断モードを継続してもよい。
【００１２】
前記実行部は、前記エンジンの再始動時において前記診断モードを開始する条件である開始条件が満たされる場合、前記エンジンが再始動する際に、前記バッテリの電圧によらず前記診断モードを開始してもよい。
【００１３】
前記実行部は、前記診断モードにおいて、前記流量推定値の積算値が基準積算値に到達した時における前記パージシステム内の圧力が圧力閾値より高い場合に、前記パージシステムが故障していると診断してもよい。
【発明の効果】
【００１４】
以上説明したように本発明によれば、パージシステムの故障の診断を適切に完了することが可能となる。
【図面の簡単な説明】
【００１５】
【図１】本発明の実施形態に係るパージシステムの概略構成の一例を示す模式図である。
【図２】同実施形態に係るパージシステムにおいて、外気弁が閉状態である場合の様子を示す模式図である。
【図３】同実施形態に係る制御装置の機能構成の一例を示すブロック図である。
【図４】同実施形態に係る制御装置が行う診断に関する処理の流れの一例を示すフローチャートである。
【図５】診断モードにおけるシステム圧力及び流量積算値の推移の一例を示す説明図である。
【図６】参考例による診断モードが実行される場合についての車両における各状態の推移の一例を示す説明図である。
【図７】本発明の実施形態による診断モードが実行される場合についての車両における各状態の推移の一例を示す説明図である。
【図８】参考例による診断モードが実行される場合についての車両における各状態の推移の一例を示す説明図である。
【図９】本発明の実施形態による診断モードが実行される場合についての車両における各状態の推移の一例を示す説明図である。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
＜１．パージシステムの構成＞
まず、図１〜図３を参照して、本発明の実施形態に係るパージシステム１の構成について説明する。
【００１８】
図１は、本実施形態に係るパージシステム１の概略構成の一例を示す模式図である。図２は、本実施形態に係るパージシステム１についての外気弁３１が閉状態である場合の様子を示す模式図である。図３は、本実施形態に係る制御装置１００の機能構成の一例を示すブロック図である。
【００１９】
パージシステム１は、エンジンを自動停止及び再始動させるアイドリングストップ制御を実行する車両に搭載され、燃料タンクで発生した蒸発燃料を含むパージガスを当該エンジンの吸気管に供給するシステムである。パージシステム１は、例えば、図１に示したように、燃料タンク１１と、キャニスタ１３と、エバポ通路１５と、パージ通路１７と、パージ弁１９と、外気通路４０と、リーク検出装置３０と、制御装置１００とを備える。本発明の一実施形態においては、制御装置１００がパージシステム１の故障を診断する故障診断装置として機能する。
【００２０】
また、図１では、パージシステム１が適用されるエンジン９０の一例が示されている。
【００２１】
エンジン９０は、例えば、火花点火式の内燃機関である。エンジン９０には、１又は複数の気筒９１が備えられる。気筒９１の内部には燃焼室９３が形成され、燃焼室９３に向けて点火プラグ９４が設けられている。気筒９１の吸気ポート及び排気ポートは、吸気管９８及び排気管９７とそれぞれ接続されている。気筒９１の吸気ポート及び排気ポートにそれぞれ設けられる吸気バルブ９６及び排気バルブ９５が開閉することにより、燃焼室９３への吸気の吸入及び燃焼室９３からの排気の排出が行われる。燃焼室９３には、空気及び燃料からなる混合気が形成され、当該混合気が点火プラグ９４の点火により燃焼する。それにより、気筒９１内でピストン９２が直線往復運動を行い、ピストン９２と接続されたクランクシャフト９９へ動力が伝達される。
【００２２】
クランクシャフト９９には、スタータモータ８６の出力軸が接続される。スタータモータ８６は、バッテリ８７から供給される電力を用いて駆動される。スタータモータ８６が駆動されることにより出力される動力は、クランクシャフト９９に伝達される。それにより、エンジン９０の始動が実現される。このように、バッテリ８７は、エンジン９０の始動に用いられる電力を蓄電する。また、パージシステム１が搭載される車両には、バッテリ８７の電圧であるバッテリ電圧を検出する電圧センサ２０４が設けられる。電圧センサ２０４は、取得した検出結果を出力する。電圧センサ２０４は、例えば、バッテリ８７の近傍に設けられる。
【００２３】
パージシステム１が搭載される車両は、エンジン９０を自動停止及び再始動させるアイドリングストップ制御を実行する。具体的には、アイドリングストップ制御は、制御装置１００と異なる制御装置からエンジン９０に対して動作指令が出力されることによって実行され得る。アイドリングストップ制御では、自動停止条件が満たされる場合に、ドライバの操作によらずエンジン９０のアイドル運転を停止させる自動停止制御が実行される。自動停止条件が満たされるか否かは、例えば、ブレーキペダル及びアクセルペダルの操作量と、シフトレバーの位置と、車速とに基づいて判定され得る。また、アイドリングストップ制御では、エンジン９０が自動停止した後に再始動条件が満たされる場合に、ドライバの操作によらずエンジン９０を始動させる再始動制御が実行される。再始動条件は、例えば、エンジン９０が自動停止した後に自動停止条件が満たされなくなることである。
【００２４】
吸気管９８は、車両の外部から外気が取り込まれる吸気口と接続される。吸気管９８には、例えば、エアクリーナ８５が設けられ、吸気管９８におけるエアクリーナ８５より下流側には、吸気管９８へ吸入される吸気の量である吸気量を調整可能なスロットル弁８４が設けられる。吸気管９８におけるスロットル弁８４よりさらに下流側には、燃料を噴射する燃料噴射弁８３が設けられる。燃料噴射弁８３は、燃料タンク１１から図示しない油路を介して供給される燃料を吸気管９８内に噴射する。なお、燃料噴射弁８３は、気筒９１に設けられ、燃焼室９３に向けて燃料を噴射可能であってもよい。また、燃料噴射弁８３の動作は、例えば、制御装置１００と異なる制御装置によって制御される。吸気管９８は、具体的には、エンジン９０の各気筒９１の吸気ポート側に向けて分岐し、各吸気ポートと接続される。エンジン９０の吸気管９８には、後述されるパージ通路１７が接続される。
【００２５】
吸気管９８には、吸気管９８内の圧力である吸気管圧力を検出する吸気管圧力センサ２０２が設けられる。具体的には、吸気管圧力センサ２０２は、吸気管圧力の大気圧に対する相対値を検出結果として取得する。吸気管圧力センサ２０２は、取得した検出結果を出力する。吸気管圧力センサ２０２は、例えば、吸気管９８におけるパージ通路１７と接続される部分に設けられる。
【００２６】
燃料タンク１１は、エンジン９０に供給されるガソリン等の液体の燃料を貯留する。燃料タンク１１内において、液体の燃料の一部が蒸発することによって蒸発燃料が発生する。ゆえに、燃料タンク１１内は、液体の燃料と蒸発燃料が共存している状態となっている。また、燃料タンク１１は、エバポ通路１５介してキャニスタ１３と連通される。ゆえに、燃料タンク１１内で生じる蒸発燃料は、エバポ通路１５を介してキャニスタ１３へ導かれる。
【００２７】
キャニスタ１３は、蒸発燃料を吸着する。具体的には、キャニスタ１３は、燃料タンク１１からエバポ通路１５を介して導かれる蒸発燃料を吸着する。より具体的には、キャニスタ１３内には、吸着剤としての活性炭１３ａが設けられており、キャニスタ１３内へ導かれる蒸発燃料は活性炭１３ａによって吸着される。キャニスタ１３は、パージ通路１７を介してエンジン９０の吸気管９８と連通される。パージ通路１７は、例えば、吸気管９８におけるスロットル弁８４より下流側かつ燃料噴射弁８３より上流側の部分と接続され得る。パージ通路１７には、パージ弁１９が設けられる。
【００２８】
パージ弁１９は、パージ通路１７を開閉可能な制御弁である。パージ弁１９として、例えば、開度を全閉状態と全開状態との間で調整可能な制御弁が用いられる。パージ弁１９によりパージ通路１７が開放されている場合、キャニスタ１３とエンジン９０の吸気管９８とが連通される。一方、パージ弁１９によりパージ通路１７が閉鎖されている場合、キャニスタ１３とエンジン９０の吸気管９８とが遮断される。
【００２９】
パージ通路１７には、パージ弁１９の開度を検出するパージ弁開度センサ２０３が設けられる。パージ弁開度センサ２０３は、取得した検出結果を出力する。パージ弁開度センサ２０３は、例えば、パージ通路１７におけるパージ弁１９の近傍の部分に設けられる。
【００３０】
また、キャニスタ１３は、外気通路４０を介して外気開口部２１と連通される。外気開口部２１は、車両の外部に対して開口する開口部である。外気通路４０には、リーク検出装置３０が設けられる。外気通路４０は、具体的には、キャニスタ１３とリーク検出装置３０とを接続するキャニスタ側通路４１と、リーク検出装置３０と外気開口部２１とを接続する外気開口部側通路４２と、リーク検出装置３０の内部通路４３とを含む。外気開口部側通路４２には、ドレンフィルタ２３が設けられる。
【００３１】
リーク検出装置３０は、パージシステム１内から外部への蒸発燃料のリークの有無を検出する装置である。蒸発燃料のリークは、例えば、パージシステム１の通路において通路の内部から外部へ貫通する貫通孔が形成された場合に生じ得る。
【００３２】
リーク検出装置３０は、例えば、内部通路４３と、外気弁３１と、ポンプ３２とを備える。
【００３３】
内部通路４３は、例えば、第１通路４３ａと、第２通路４３ｂと、第３通路４３ｃと、第４通路４３ｄと、第５通路４３ｅとを備える。第１通路４３ａは、キャニスタ側通路４１と、外気弁３１のキャニスタ１３側のポートとを接続する。第２通路４３ｂは、外気弁３１の外気開口部２１側のポートと、ポンプ３２の吸入側とを接続する。第３通路４３ｃは、第１通路４３ａと、第２通路４３ｂとを連通する。第３通路４３ｃには、オリフィス３７が設けられる。第４通路４３ｄは、ポンプ３２の吐出側と、外気開口部側通路４２とを接続する。第５通路４３ｅは、第２通路４３ｂが接続されるポートと異なる外気弁３１の外気開口部２１側のポートと、第４通路４３ｄとを接続する。
【００３４】
また、内部通路４３には、パージシステム１内の圧力であるシステム圧力を検出するシステム圧力センサ２０１が設けられる。具体的には、システム圧力センサ２０１は、システム圧力の大気圧に対する相対値を検出結果として取得する。システム圧力センサ２０１は、取得した検出結果を出力する。システム圧力センサ２０１は、例えば、第３通路４３ｃにおけるオリフィス３７より第２通路４３ｂ側に設けられる。
【００３５】
外気弁３１は、リーク検出装置３０の内部通路４３における連通状態を切り替え可能な制御弁である。外気弁３１として、例えば、電磁弁が用いられる。外気弁３１は、具体的には、キャニスタ１３側のポートに接続される通路と外気開口部２１側のポートに接続される通路との連通状態を切り替え可能である。外気弁３１は、バッテリ８７から供給される電力を用いて駆動される。
【００３６】
具体的には、外気弁３１は、図１に示されるように、第１通路４３ａと第５通路４３ｅとが連通されるように、内部通路４３における連通状態を切り替え可能である。第１通路４３ａと第５通路４３ｅとが連通される場合、キャニスタ１３と外気開口部２１とが連通される。ゆえに、この場合において、外気通路４０は開放される。なお、この場合における外気弁３１の状態を開状態と称する。外気弁３１は、具体的には、非通電時において、開状態となる。
【００３７】
また、外気弁３１は、図２に示されるように、第１通路４３ａと第２通路４３ｂとが連通されるように、内部通路４３における連通状態を切り替え可能である。第１通路４３ａと第２通路４３ｂとが連通される場合、キャニスタ１３と外気開口部２１とが遮断される。ゆえに、この場合において、外気通路４０は閉鎖される。なお、この場合における外気弁３１の状態を閉状態と称する。外気弁３１は、具体的には、通電時において、閉状態となる。
【００３８】
このように、外気弁３１は、外気通路４０を開閉可能な制御弁である。具体的には、後述される診断モードが実行されない通常時において、外気弁３１は開状態となり、外気通路４０が外気弁３１により開放された状態になる。一方、後述される診断モードの実行時において、外気弁３１は閉状態となり、外気通路４０が外気弁３１により閉鎖された状態になる。
【００３９】
ポンプ３２は、吸入側から吐出側へ気体を吸い出す。具体的には、後述されるように、蒸発燃料のリークの有無の検出において、ポンプ３２が駆動されることによって、パージシステム１内の気体が第２通路４３ｂから第４通路４３ｄ及び外気開口部２１を介して車両の外部へ吸い出される。
【００４０】
制御装置１００は、演算処理装置であるＣＰＵ（Ｃｅｎｔｒａｌ  Ｐｒｏｃｅｓｓｉｎｇ  Ｕｎｉｔ）、ＣＰＵが使用するプログラムや演算パラメータ等を記憶する記憶素子であるＲＯＭ（Ｒｅａｄ  Ｏｎｌｙ  Ｍｅｍｏｒｙ）及びＣＰＵの実行において適宜変化するパラメータ等を一時記憶する記憶素子であるＲＡＭ（Ｒａｎｄｏｍ  Ａｃｃｅｓｓ  Ｍｅｍｏｒｙ）等で構成される。
【００４１】
また、制御装置１００は、各装置から出力される情報を受信する。制御装置１００と各装置との通信は、例えば、ＣＡＮ（Ｃｏｎｔｒｏｌｌｅｒ  Ａｒｅａ  Ｎｅｔｗｏｒｋ）通信を用いて実現される。例えば、制御装置１００は、システム圧力センサ２０１、吸気管圧力センサ２０２、パージ弁開度センサ２０３及び電圧センサ２０４から出力される情報を受信する。また、例えば、制御装置１００は、アイドリングストップ制御を実行する制御装置からエンジン９０の自動停止制御が実行されているか否かを示す情報及びエンジン９０の再始動制御が実行されているか否かを示す情報を受信する。
【００４２】
制御装置１００は、例えば、図３に示したように、パージ弁制御部１１０と、ポンプ制御部１２０と、実行部１３０とを備える。
【００４３】
パージ弁制御部１１０は、パージ弁１９に対して動作指令を出力することによって、パージ弁１９の動作を制御する。それにより、パージ弁１９の弁開度が制御される。
【００４４】
上述したように、パージ弁１９によりパージ通路１７が開放されている場合、キャニスタ１３とエンジン９０の吸気管９８とが連通される。また、後述される診断モードが実行されない通常時において、外気通路４０は外気弁３１により開放された状態になる。ゆえに、システム圧力は、基本的に大気圧に比較的近い値となっている。一方、吸気管９８の圧力は、吸気管９８に生じる負圧に起因して、システム圧力と比較して低くなっている。よって、パージ弁１９によりパージ通路１７が開放されることによって、パージフローが生じ、パージ通路１７から吸気管９８へ蒸発燃料を含むパージガスが流入する。したがって、パージ弁制御部１１０によりパージ弁１９の弁開度が制御されることによって、パージ通路１７から吸気管９８へ流入するパージガスの流量が制御される。
【００４５】
パージ弁制御部１１０は、具体的には、車両の走行状態に基づいてパージ弁１９の弁開度を制御する。例えば、パージ弁制御部１１０は、加速要求がある場合にパージ弁１９によりパージ通路１７を開放させ、アクセル開度及び吸気管圧力等に基づいてパージ弁１９の弁開度を制御する。
【００４６】
ポンプ制御部１２０は、リーク検出装置３０のポンプ３２に対して動作指令を出力することによって、ポンプ３２の動作を制御する。それにより、パージシステム１内の気体の車両の外部への吸い出しが制御される。
【００４７】
実行部１３０は、パージシステム１の故障を診断する診断モードを実行する。実行部１３０は、例えば、図３に示したように、外気弁制御部１３１と、診断部１３２と、開始条件判定部１３３と、再始動判定部１３４と、電圧判定部１３５と、流量積算値判定部１３６とを備える。
【００４８】
外気弁制御部１３１は、リーク検出装置３０の外気弁３１に対して動作指令を出力することによって、外気弁３１の動作を制御する。それにより、リーク検出装置３０の内部通路４３における連通状態の切り替えが制御される。ゆえに、外気弁３１による外気通路４０の開閉が制御される。
【００４９】
診断部１３２は、診断モードにおいて、パージシステム１の故障を診断する。具体的には、診断部１３２は、パージフローが正常に行われない状況において、パージシステム１が故障していると診断する。
【００５０】
開始条件判定部１３３、再始動判定部１３４、電圧判定部１３５及び流量積算値判定部１３６は、制御装置１００により取得される情報に基づいて、各種判定を行う。
【００５１】
制御装置１００は、リーク検出装置３０を用いて、パージシステム１内から外部への蒸発燃料のリークの有無を検出してもよい。蒸発燃料のリークの検出処理は、例えば、車両の停車中において行われ得る。
【００５２】
具体的には、蒸発燃料のリークの検出処理では、まず、制御装置１００は、パージ弁１９を閉状態にし、外気弁３１を開状態にする。それにより、リーク検出装置３０の内部通路４３における連通状態は、図１に示されるように、第１通路４３ａと第５通路４３ｅとが連通された状態になる。そして、制御装置１００は、ポンプ３２を駆動させる。ゆえに、オリフィス３７が設けられる第３通路４３ｃ内の蒸発燃料がポンプ３２によって吸い出され、システム圧力センサ２０１により検出されるシステム圧力は、オリフィス３７の内径と対応する基準圧力になる。
【００５３】
次に、制御装置１００は、パージ弁１９を閉状態に維持し、ポンプ３２の駆動を継続させて、外気弁３１を閉状態に切り替える。それにより、リーク検出装置３０の内部通路４３における連通状態は、図２に示されるように、第１通路４３ａと第２通路４３ｂとが連通された状態になる。ゆえに、第１通路４３ａ内の蒸発燃料が第２通路４３ｂを介してポンプ３２によって吸い出される。この状態においてシステム圧力センサ２０１により検出されるシステム圧力を蒸発燃料のリークの有無の判定に用いられる判定圧力と称する。そして、制御装置１００は、判定圧力と基準圧力とを比較することによって、パージシステム１内から外部への蒸発燃料のリークの有無を判定する。具体的には、判定圧力が基準圧力を上回る場合、パージシステム１内から外部への蒸発燃料のリークがあると判定する。
【００５４】
本実施形態に係る制御装置１００が有する機能は複数の制御装置により分割されてもよく、その場合、当該複数の制御装置は、ＣＡＮ等の通信バスを介して、互いに接続されてもよい。
【００５５】
＜２．制御装置の動作＞
続いて、図４〜図９を参照して、本実施形態に係る制御装置１００の動作について説明する。
【００５６】
図４は、本実施形態に係る制御装置１００が行う診断に関する処理の流れの一例を示すフローチャートである。図４に示される処理フローは、例えば、あらかじめ設定された時間間隔で繰り返される。なお、図４に示される処理フローは、診断モードが開始されていない状態で開始される。また、図４に示される処理フローの実行時において、パージ弁１９の弁開度は、上述したように、車両の走行状態に基づいて制御される。
【００５７】
図４に示される制御フローが開始されると、まず、ステップＳ５０１において、開始条件判定部１３３は、診断モードを開始する条件である開始条件が満たされるか否かを判定する。開始条件が満たされると判定された場合（ステップＳ５０１／ＹＥＳ）、ステップＳ５０３へ進む。一方、開始条件が満たされないと判定された場合（ステップＳ５０１／ＮＯ）、ステップＳ５０１の処理が繰り返される。
【００５８】
開始条件は、具体的には、パージシステム１内における圧力分布、温度分布、蒸発燃料の濃度分布等のパージシステム１の状態が診断モードを適切に実行し得る程度に安定しているか否かを判定し得る条件である。
【００５９】
例えば、開始条件判定部１３３は、エンジン９０への燃料の供給を停止する燃料カットが開始された時点から基準時間が経過したことを開始条件として適用してもよい。基準時間は、例えば、車両の設計仕様等に応じて適宜設定され、制御装置１００の記憶素子に記憶され得る。燃料カットは、具体的には、車両の走行時にアクセル操作が中断されることに伴い、加速要求がなくなった場合に開始される。制御装置１００は、燃料カットが行われているか否かを示す情報を、例えば、燃料噴射弁８３の動作を制御する制御装置から受信し得る。
【００６０】
また、例えば、開始条件判定部１３３は、パージ弁１９が閉状態から開状態に切り替わったことを開始条件として適用してもよい。パージ弁１９は、例えば、車両の停車時にアクセル操作が行われることに伴い、車両が発進する場合に閉状態から開状態に切り替えられ得る。また、パージ弁１９は、例えば、車両の走行時に加速要求が発生する場合に閉状態から開状態に切り替えられ得る。
【００６１】
なお、開始条件判定部１３３は、上記で開始条件として例示した条件が満たされ、かつ、車両のシステムが起動した後においてパージ弁１９が開状態であった時間の積算値が所定値を上回っていることを開始条件として適用してもよい。所定値は、例えば、車両の設計仕様等に応じて適宜設定され、制御装置１００の記憶素子に記憶され得る。車両のシステムは、具体的には、イグニッションスイッチをＯＦＦからＯＮへ切り替えることによって起動する。
【００６２】
ステップＳ５０３において、再始動判定部１３４は、エンジン９０の再始動制御が実行されているか否かを判定する。再始動制御が実行されていると判定された場合（ステップＳ５０３／ＹＥＳ）、ステップＳ５０７へ進む。一方、再始動制御が実行されていないと判定された場合（ステップＳ５０３／ＮＯ）、ステップＳ５０５へ進む。
【００６３】
ステップＳ５０５において、電圧判定部１３５は、バッテリ電圧が電圧閾値を下回っているか否かを判定する。バッテリ電圧が電圧閾値を下回っていると判定された場合（ステップＳ５０５／ＹＥＳ）、ステップＳ５１９へ進む。一方、バッテリ電圧が電圧閾値を下回っていないと判定された場合（ステップＳ５０５／ＮＯ）、ステップＳ５０７へ進む。
【００６４】
電圧閾値は、具体的には、外気弁３１の動作を適切に制御し得る程度にバッテリ電圧が高いか否かを判定し得る値に設定され、制御装置１００の記憶素子に記憶され得る。
【００６５】
ステップＳ５０７において、実行部１３０は、診断モードを開始する。診断モードが開始されると、外気弁制御部１３１は、外気弁３１を閉状態にする。それにより、図２に示されるように、第１通路４３ａと第２通路４３ｂとが連通されることによって、キャニスタ１３と外気開口部２１とが遮断され、外気通路４０が閉鎖された状態になる。また、診断モードが開始されると、パージ弁１９によりパージ通路１７が開放されることによってパージ通路１７から吸気管９８へ流入するパージガス（蒸発燃料を含むガス）の流量推定値の積算が開始される。これについては後に詳説する。
【００６６】
次に、ステップＳ５０９において、再始動判定部１３４は、エンジン９０の再始動制御が実行されているか否かを判定する。再始動制御が実行されていると判定された場合（ステップＳ５０９／ＹＥＳ）、ステップＳ５１３へ進む。一方、再始動制御が実行されていないと判定された場合（ステップＳ５０９／ＮＯ）、ステップＳ５１１へ進む。
【００６７】
ステップＳ５１１において、電圧判定部１３５は、バッテリ電圧が電圧閾値を下回っているか否かを判定する。バッテリ電圧が電圧閾値を下回っていると判定された場合（ステップＳ５１１／ＹＥＳ）、ステップＳ５１９へ進む。一方、バッテリ電圧が電圧閾値を下回っていないと判定された場合（ステップＳ５１１／ＮＯ）、ステップＳ５１３へ進む。
【００６８】
ステップＳ５１３において、流量積算値判定部１３６は、吸気管９８へ流入するパージガスの流量推定値の積算値である流量積算値が基準積算値に到達したか否かを判定する。流量積算値が基準積算値に到達したと判定された場合（ステップＳ５１３／ＹＥＳ）、ステップＳ５１５へ進む。一方、流量積算値が基準積算値に到達していないと判定された場合（ステップＳ５１３／ＮＯ）、ステップＳ５０９へ戻る。
【００６９】
流量推定値は、具体的には、パージフローが正常に行われるパージシステム１の正常時におけるパージ通路１７から吸気管９８へ流入するパージガスの流量として推定される値である。基準積算値は、具体的には、パージシステム１の故障を適切に診断し得る程度に流量積算値が大きいか否かを判定し得る値に設定され、制御装置１００の記憶素子に記憶され得る。
【００７０】
流量積算値判定部１３６は、具体的には、各時刻におけるパージガスの流量推定値を算出し、パージガスの流量推定値を積算することにより、流量積算値を算出し得る。各時刻におけるパージガスの流量推定値及び流量積算値は、例えば、制御装置１００の記憶素子に記憶され得る。
【００７１】
例えば、流量積算値判定部１３６は、吸気管圧力及びパージ弁１９の開度に基づいて、パージガスの流量推定値を算出する。具体的には、流量積算値判定部１３６は、吸気管圧力が低いほどパージガスの流量推定値として大きな値を算出する。また、流量積算値判定部１３６は、パージ弁１９の開度が大きいほどパージガスの流量推定値として大きな値を算出する。流量積算値判定部１３６は、さらにシステム圧力に基づいて、パージガスの流量推定値を算出してもよい。具体的には、流量積算値判定部１３６は、システム圧力と吸気管圧力との差が大きいほどパージガスの流量推定値として大きな値を算出する。
【００７２】
ステップＳ５１５において、診断部１３２は、パージシステム１の故障を診断する。具体的には、診断部１３２は、流量積算値とシステム圧力との関係に基づいて、パージシステム１の故障を診断する。上述したように、診断モードが開始されると、外気弁３１は閉状態になる。ゆえに、診断部１３２は、外気弁３１により外気通路４０が閉鎖された状態において、流量積算値とシステム圧力との関係に基づいて、パージシステム１の故障を診断する。
【００７３】
例えば、診断部１３２は、流量積算値が基準積算値に到達した時におけるシステム圧力が圧力閾値より高い場合に、パージシステム１が故障していると診断する。圧力閾値は、具体的には、流量積算値が基準積算値に到達するまでの間におけるシステム圧力の低下量が、パージフローが正常に行われたと判断し得る程度に大きいか否かを判定し得る値に設定され、制御装置１００の記憶素子に記憶され得る。
【００７４】
図５は、診断モードにおけるシステム圧力及び流量積算値の推移の一例を示す説明図である。パージ弁１９が開状態である場合、パージフローが生じることにより、パージ通路１７から吸気管９８へパージガスが流入する。ゆえに、例えば、時刻Ｔ１１において診断モードが開始され、時刻Ｔ１１以降においてパージ弁１９が継続して開状態である場合、図５に示されるように、時刻Ｔ１１以降において流量積算値は継続的に増大し得る。そして、流量積算値が基準積算値に到達する時刻Ｔ１２において、流量積算値判定部１３６は、流量積算値が基準積算値に到達したと判定する。よって、時刻Ｔ１２において、診断部１３２は、パージシステム１の故障を診断する。
【００７５】
診断モードにおいて、外気通路４０は外気弁３１により閉鎖されている。ゆえに、パージ弁１９が開状態である場合、パージ通路１７から吸気管９８へパージガスが流入することによって、システム圧力が低下する。ゆえに、図５に示されるように、時刻Ｔ１１以降においてシステム圧力は継続的に低下し得る。ここで、パージフローが正常に行われないパージシステム１の故障時（例えば、パージシステム１内の通路において異物が目詰まりしている時）には、診断モードにおけるシステム圧力の低下速度は、パージシステム１の正常時と比較して小さくなる。ゆえに、パージシステム１の故障時には、時刻Ｔ１２において、システム圧力が圧力閾値より高くなる。一方、パージシステム１の正常時には、診断モードにおけるシステム圧力の低下速度は、パージシステム１の故障時と比較して大きくなる。ゆえに、パージシステム１の正常時には、時刻Ｔ１２において、システム圧力が圧力閾値以下になる。よって、診断部１３２は、パージシステム１の故障を適切に診断することができる。
【００７６】
なお、制御装置１００は、パージシステム１が故障していると診断した場合、例えば、診断結果をドライバへ報知する。その場合、制御装置１００は、具体的には、車両に設けられるランプやディスプレイ等の表示装置による表示を制御することによって、パージシステム１が故障している旨をドライバへ報知し得る。
【００７７】
次に、ステップＳ５１７において、実行部１３０は、診断モードを終了する。診断モードが終了すると、外気弁制御部１３１は、外気弁３１を閉状態から開状態へ切り替える。それにより、図１に示されるように、第１通路４３ａと第５通路４３ｅとが連通されることによって、キャニスタ１３と外気開口部２１とが連通され、外気通路４０が開放された状態になる。また、実行部１３０は、流量積算値をリセットする。
【００７８】
ステップＳ５１９において、実行部１３０は、診断モードを禁止する。診断モードが禁止されると、外気弁制御部１３１は、外気弁３１を開状態にする。それにより、図１に示されるように、第１通路４３ａと第５通路４３ｅとが連通されることによって、キャニスタ１３と外気開口部２１とが連通され、外気通路４０が開放された状態になる。
【００７９】
例えば、ステップＳ５０５の判定結果がＹＥＳである場合、実行部１３０は、診断モードが開始されることを禁止する。また、例えば、ステップＳ５１１の判定結果がＹＥＳである場合、実行部１３０は、実行中の診断モードを中断する。このように、実行部１３０は、バッテリ電圧に基づいて診断モードを禁止する。この場合、実行部１３０は、流量積算値をリセットする。
【００８０】
ここで、上述したように、ステップＳ５０３の判定結果がＹＥＳである場合、ステップＳ５０５の判定処理は行われない。また、ステップＳ５０９の判定結果がＹＥＳである場合、ステップＳ５１１の判定処理は行われない。ゆえに、実行部１３０は、エンジン９０が自動停止した後に再始動する際に、バッテリ電圧に基づく診断モードの禁止を中止する。
【００８１】
ステップＳ５１７又はステップＳ５１９の次に、図４に示される処理フローは終了する。
【００８２】
続いて、参考例及び本実施形態による診断モードが実行される場合についての車両における各状態の推移について説明する。なお、以下の説明で互いに同一の時刻において変化するものと説明される各状態の間で、厳密には変化する時刻にズレがあってもよい。
【００８３】
図６は、参考例による診断モードが実行される場合についての車両における各状態の推移の一例を示す説明図である。図７は、本実施形態による診断モードが実行される場合についての車両における各状態の推移の一例を示す説明図である。図６及び図７では、車両における各状態として、パージ弁１９の開閉状態、燃料カットの実行状態、外気弁３１の開閉状態、エンジン９０の自動停止制御の実行状態、エンジン９０の再始動制御の実行状態及びバッテリ電圧が示されている。また、図６及び図７では、診断モードを開始する条件である開始条件として、燃料カットが開始された時点から基準時間が経過したことが適用される場合における各状態の推移が示されている。
【００８４】
参考例では、本実施形態と同様に、外気弁３１により外気通路４０が閉鎖された状態において、流量積算値とシステム圧力との関係に基づいて、パージシステム１の故障を診断する診断モードが実行される。また、バッテリ電圧が電圧閾値を下回っている場合に、診断モードが禁止される。しかしながら、参考例では、本実施形態と異なり、エンジン９０が自動停止した後に再始動する際であっても、バッテリ電圧に基づく診断モードの禁止が中止されない。
【００８５】
例えば、図６に示されるように、車両の走行中の時刻Ｔ２１において、燃料カットが開始される。そして、時刻Ｔ２１から基準時間が経過した時刻Ｔ２２において、開始条件が満たされることに伴い診断モードが開始され、外気弁３１が開状態から閉状態へ切り替えられる。その後、例えば、時刻Ｔ２３から時刻Ｔ２４までの間の時間のように、パージ弁１９が開状態になりパージフローが生じることにより、流量積算値の増大及びシステム圧力の低下が進行する。
【００８６】
例えば、時刻Ｔ２４において車両が減速を開始した場合、燃料カットが行われた後に車両が停車する。そして、自動停止条件が満たされる時刻Ｔ２５において、エンジン９０の自動停止制御が開始される。その後、時刻Ｔ２６において、アクセルペダルが踏み込まれること等により再始動条件が満たされた場合、エンジン９０の再始動制御が開始される。ここで、エンジン９０が再始動する際には、バッテリ８７からスタータモータ８６へ比較的大きな電流が流れるので、図６に示されるように、バッテリ電圧が一時的に低下する。それにより、バッテリ電圧が電圧閾値を下回ることにより診断モードが中断され、外気弁３１が閉状態から開状態へ切り替えられる。ゆえに、流量積算値の算出は中断され、例えば、制御装置１００の記憶素子に記憶されている流量積算値はリセットされる。また、システム圧力は大気圧に比較的近い値へ戻る。
【００８７】
一方、本実施形態では、上述したように、エンジン９０が自動停止した後に再始動する際に、バッテリ電圧に基づく診断モードの禁止が中止される。それにより、図７に示されるように、時刻Ｔ２６において、エンジン９０の再始動制御が開始されることに伴いバッテリ電圧が電圧閾値を下回った場合であっても、診断モードが継続され、外気弁３１が閉状態に維持される。ゆえに、時刻Ｔ２６において、車両の加速に伴いパージ弁１９が閉状態から開状態に切り替えられることによりパージフローが生じることによって、流量積算値の増大及びシステム圧力の低下が再開する。このように、本実施形態では、実行部１３０は、エンジン９０の自動停止時において診断モードが継続されている場合、エンジン９０が再始動する際に、バッテリ電圧によらず診断モードを継続し得る。
【００８８】
図８は、参考例による診断モードが実行される場合についての車両における各状態の推移の図６と異なる例を示す説明図である。図９は、本実施形態による診断モードが実行される場合についての車両における各状態の推移の図７と異なる例を示す説明図である。図８及び図９では、図６及び図７と同様に、車両における各状態として、パージ弁１９の開閉状態、燃料カットの実行状態、外気弁３１の開閉状態、エンジン９０の自動停止制御の実行状態、エンジン９０の再始動制御の実行状態及びバッテリ電圧が示されている。また、図８及び図９では、診断モードを開始する条件である開始条件として、パージ弁１９が閉状態から開状態に切り替わったことが適用される場合における各状態の推移が示されている。
【００８９】
例えば、走行中の車両が減速した後に停車し、時刻Ｔ３１において、自動停止条件が満たされた場合、図８に示されるように、エンジン９０の自動停止制御が開始される。図８に示される例では、エンジン９０の自動停止時において診断モードは開始されていないので、時刻Ｔ３１において、外気弁３１は開状態になっている。その後、時刻Ｔ３２において、アクセルペダルが踏み込まれること等により再始動条件が満たされた場合、エンジン９０の再始動制御が開始される。また、時刻Ｔ３２において、車両の加速に伴いパージ弁１９が閉状態から開状態に切り替えられることによって、開始条件が満たされる。しかしながら、エンジン９０が再始動することに伴いバッテリ電圧が一時的に低下することによって、バッテリ電圧が電圧閾値を下回ることにより診断モードが開始されることが禁止され、外気弁３１が開状態に維持される。
【００９０】
一方、本実施形態では、上述したように、エンジン９０が自動停止した後に再始動する際に、バッテリ電圧に基づく診断モードの禁止が中止される。それにより、図９に示されるように、時刻Ｔ３２において、エンジン９０の再始動制御が開始されることに伴いバッテリ電圧が電圧閾値を下回った場合であっても、診断モードが開始され、外気弁３１が開状態から閉状態へ切り替えられる。ゆえに、時刻Ｔ３２において、車両の加速に伴いパージ弁１９が閉状態から開状態に切り替えられることによりパージフローが生じることによって、流量積算値の増大及びシステム圧力の低下が開始する。このように、本実施形態では、実行部１３０は、エンジン９０の再始動時において診断モードを開始する条件である開始条件が満たされる場合、エンジン９０が再始動する際に、バッテリ電圧によらず診断モードを開始し得る。
【００９１】
＜３．制御装置の効果＞
続いて、本実施形態に係る制御装置１００の効果について説明する。
【００９２】
本実施形態に係る制御装置１００では、外気弁３１により外気通路４０が閉鎖された状態において、流量積算値とシステム圧力との関係に基づいて、パージシステム１の故障を診断する診断モードが実行される。また、バッテリ電圧に基づいて診断モードが禁止される。それにより、外気弁３１の動作を適切に制御することが困難である状況において、外気弁３１の動作を伴う診断モードが実行されることが抑制される。ここで、本実施形態に係る制御装置１００では、エンジン９０が自動停止した後に再始動する際に、バッテリ電圧に基づく診断モードの禁止が中止される。それにより、エンジン９０が再始動することに起因してバッテリ電圧が一時的に低下することに伴い診断モードが禁止されることが抑制される。ゆえに、パージシステム１の故障の診断が完了する前において診断モードが不必要に中断されることが抑制される。よって、パージシステム１の故障の診断を適切に完了することができる。
【００９３】
また、本実施形態に係る制御装置１００では、バッテリ電圧が電圧閾値を下回る場合に、診断モードが禁止され得る。それにより、外気弁３１の動作を適切に制御することが困難である状況において、外気弁３１の動作を伴う診断モードが実行されることを適切に抑制することができる。
【００９４】
また、本実施形態に係る制御装置１００では、エンジン９０の自動停止時において診断モードが継続されている場合、エンジン９０が再始動する際に、バッテリ電圧によらず診断モードが継続され得る。それにより、エンジン９０が自動停止するより前に開始された診断モードが、エンジン９０が再始動することに起因して中断されることを抑制することができる。よって、パージシステム１の故障の診断をより適切に完了することができる。
【００９５】
また、本実施形態に係る制御装置１００では、エンジン９０の再始動時において診断モードを開始する条件である開始条件が満たされる場合、エンジン９０が再始動する際に、バッテリ電圧によらず診断モードが開始され得る。それにより、診断モードが開始されることが、エンジン９０が再始動することに起因して禁止されることを抑制することができる。よって、パージシステム１の故障の診断をより適切に完了することができる。
【００９６】
また、本実施形態に係る制御装置１００では、診断モードにおいて、流量積算値が基準積算値に到達した時におけるシステム圧力が圧力閾値より高い場合に、パージシステム１が故障していると診断され得る。それにより、パージフローが正常に行われない状況において、パージシステム１が故障していると適切に診断することができる。
【００９７】
＜４．むすび＞
以上説明したように、本実施形態によれば、外気弁３１により外気通路４０が閉鎖された状態において、流量積算値とシステム圧力との関係に基づいて、パージシステム１の故障を診断する診断モードが実行される。また、バッテリ電圧に基づいて診断モードが禁止される。また、本実施形態によれば、エンジン９０が自動停止した後に再始動する際に、バッテリ電圧に基づく診断モードの禁止が中止される。それにより、エンジン９０が再始動することに起因してバッテリ電圧が一時的に低下することに伴い診断モードが禁止されることが抑制される。ゆえに、パージシステム１の故障の診断が完了する前において診断モードが不必要に中断されることが抑制される。よって、パージシステム１の故障の診断を適切に完了することができる。
【００９８】
上記では、図１を参照してパージシステム１の具体的な構成例について説明したが、本発明に係るパージシステムは、このような例に限定されない。例えば、パージシステム１の構成からリーク検出装置３０は省略されてもよい。その場合、例えば、キャニスタ１３と外気開口部２１とを連通する外気通路４０に、外気通路４０を開閉可能な外気弁が設けられる。また、図１に示した各構成要素の寸法及び形状と、各構成要素間の位置関係と、各通路の経路とは、あくまでも一例に過ぎず、このような例に限定されない。
【００９９】
また、上記では、故障診断装置として機能する装置の一例として制御装置１００について説明したが、故障診断装置として機能する装置は、このような例に限定されない。例えば、故障診断装置として機能する装置は、制御装置１００におけるパージ弁制御部１１０及びポンプ制御部１２０の機能を有しなくともよい。
【０１００】
また、本明細書においてフローチャートを用いて説明した処理は、必ずしもフローチャートに示された順序で実行されなくてもよい。いくつかの処理ステップは、並列的に実行されてもよい。また、追加的な処理ステップが採用されてもよく、一部の処理ステップが省略されてもよい。
【０１０１】
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例又は応用例に想到し得ることは明らかであり、これらについても、当然に本発明の技術的範囲に属するものと了解される。
【符号の説明】
【０１０２】
１  パージシステム
１１  燃料タンク
１３  キャニスタ
１５  エバポ通路
１７  パージ通路
１９  パージ弁
２１  外気開口部
２３  ドレンフィルタ
３０  リーク検出装置
３１  外気弁
３２  ポンプ
３７  オリフィス
４０  外気通路
８６  スタータモータ
８７  バッテリ
９０  エンジン
９７  排気管
９８  吸気管
１００  制御装置
１１０  パージ弁制御部
１２０  ポンプ制御部
１３０  実行部
１３１  外気弁制御部
１３２  診断部
１３３  開始条件判定部
１３４  再始動判定部
１３５  電圧判定部
１３６  流量積算値判定部
２０１  システム圧力センサ
２０２  吸気管圧力センサ
２０３  パージ弁開度センサ
２０４  電圧センサ
【図１】
2019138272.tif 000003
【図２】
2019138272.tif 000004
【図３】
2019138272.tif 000005
【図４】
2019138272.tif 000006
【図５】
2019138272.tif 000007
【図６】
2019138272.tif 000008
【図７】
2019138272.tif 000009
【図８】
2019138272.tif 000010
【図９】
2019138272.tif 000011